(57)【要約】【課題】従来の記録再生装置において記録デバイスの記録可能残時間を表示することが行われていたが、デジタル放送では放送ネットワーク等によって放送ストリームのビットレートが異なり、放送ストリームをそのまま記録する場合、記録デバイスの空容量に対してビットレートを固定して残時間を算出すると実際の残時間と異なった値が表示される不都合があった。【解決手段】放送チャンネルとその放送チャンネルの放送ストリームのビットレートとを関連付けた情報であるビットレート情報を保持する記録再生装置であって、デジタル放送を受信して放送ストリーム形式のまま記録可能な記録部を有し、ビットレート情報に基づいて指定された放送チャンネルの放送ストリームのビットレートを取得して記録部の空部分に放送チャンネルのコンテンツの記録が可能な残り時間を算出して表示する記録再生装置。【選択図】図１
2009081503.tif 000002
【特許請求の範囲】
【請求項１】
デジタル放送受信部と、
受信したデジタル放送を放送ストリーム形式のまま記録可能な記録部と、
放送チャンネルとその放送チャンネルの放送ストリームのビットレートとを関連付けた情報であるビットレート情報を保持するビットレート情報保持部と、
ビットレート情報に基づいて指定された放送チャンネルの放送ストリームのビットレートを取得するビットレート取得部と、
取得したビットレートを利用して記録部の空部分に放送チャンネルのコンテンツの記録が可能な残り時間を算出する残時間算出部と、
算出された残時間を表示する残時間表示部と、
を有する記録再生装置。
【請求項２】
ビットレート取得部は、指定された放送チャンネルが複数の場合には複数の放送チャンネルのビットレートを取得する複数取得手段を有し、
残時間算出部は、取得した複数の放送チャンネル毎に前記記録が可能な残り時間を算出する複数算出手段を有し、
残時間表示部は、複数算出手段での算出結果を同時に表示する複数表示手段を有する請求項１に記載の記録再生装置。
【請求項３】
残時間算出部は、設定されている録画予約情報を利用して前記算出をする予定算出手段を有する請求項１又は２に記載の記録再生装置。
【請求項４】
残時間算出部は、放送ストリーム形式で記録部に記録済みのコンテンツの放送ストリームのビットレートを取得し、取得したビットレートを利用して記録済コンテンツの消去候補と残時間の関係を算出する消去後算出手段を有する請求項１から３のいずれか一に記載の記録再生装置。
【請求項５】
放送チャンネルとその放送チャンネルの放送ストリームのビットレートとを関連付けた情報であるビットレート情報を保持する記録再生装置の動作方法であって、
デジタル放送を受信する受信ステップと、
受信したデジタル放送を放送ストリーム形式のまま記録部に記録する記録ステップと、
保持するビットレート情報に基づいて指定された放送チャンネルの放送ストリームのビットレートを取得するビットレート取得ステップと、
取得したビットレートを利用して記録部の空部分に放送チャンネルのコンテンツの記録が可能な残り時間を算出する残時間算出ステップと、
算出された残時間を表示する残時間表示ステップと、
を有する記録再生装置の動作方法。
【発明の詳細な説明】
【技術分野】
【０００１】
デジタル放送を放送ストリーム形式のまま記録する記録再生装置であって、記録部の空容量にコンテンツを記録することができる残り時間を算出して表示する記録再生装置に関する。
【背景技術】
【０００２】
従来、ハードディスクレコーダやＤＶＤレコーダ等の記録再生装置において、記録デバイスの空容量を記録可能残時間として適宜表示することが行われていた（例えば、特許文献１）。
【特許文献１】特開平１０−１１２０８７号公報
【発明の開示】
【発明が解決しようとする課題】
【０００３】
しかしながら、デジタル放送では放送ネットワークやチャンネルによって送信される放送ストリームのビットレートが異なるため、デジタル放送を受信して放送ストリームをそのまま記録する場合、記録デバイスの空容量に対してビットレートを固定して残時間を算出すると実際の残時間と異なった値が表示されてしまうという不都合があった。
【課題を解決するための手段】
【０００４】
そこで本件発明においては、放送チャンネルとその放送チャンネルの放送ストリームのビットレートとを関連付けた情報であるビットレート情報を保持する記録再生装置であって、デジタル放送を受信して放送ストリーム形式のまま記録可能な記録部を有し、ビットレート情報に基づいて指定された放送チャンネルの放送ストリームのビットレートを取得して記録部の空部分に放送チャンネルのコンテンツの記録が可能な残り時間を算出し、算出された残時間を表示することを特徴とする記録再生装置を提案する。
【発明の効果】
【０００５】
本件発明の記録再生装置においては、指定された放送チャンネルのビットレートに応じて正確な記録デバイスの記録可能残時間を表示することができるので、番組等を撮り逃がすことなく、また記録デバイスの無駄な空きを防ぐことができる。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、５などについて説明する。実施形態２は、主に請求項２などについて説明する。実施形態３は、主に請求項３などについて説明する。実施形態４は、主に請求項４などについて説明する。
（実施形態１）
【０００７】
（実施形態１：概要）本実施形態は、放送チャンネルとその放送チャンネルの放送ストリームのビットレートとを関連付けた情報であるビットレート情報を保持する記録再生装置であって、デジタル放送を受信して放送ストリーム形式のまま記録可能な記録部を有し、ビットレート情報に基づいて指定された放送チャンネルの放送ストリームのビットレートを取得して記録部の空部分に放送チャンネルのコンテンツの記録が可能な残り時間を算出し、算出された残時間を表示することを特徴とする記録再生装置について説明する。
【０００８】
図１は、本実施形態に係る記録再生装置の概要図である。例えば、ユーザが記録再生装置（０１０１）を操作して記録再生装置と接続されているテレビ等の表示装置（０１０２）に記録部の空部分にコンテンツを記録可能な残時間を確認するための画面を表示させたとする（場面（ａ））。この画面においては、現在チューナー等によって指定されている放送チャンネルが「ＢＳ（放送衛星）Ａチャンネル（ｃｈ）」であり高精細度放送（ＨＤ）であることが表示されており、ＢＳ  ＡチャンネルのＨＤのコンテンツを記録部の空部分に記録する場合に記録可能な残時間が「５０時間３５分」であることが示されている。この残時間は、記録再生装置に保持されているビットレート情報を参照することによってＢＳ  Ａチャンネル  ＨＤの場合のビットレートが取得され、取得されたビットレートに基づいて算出される。ここで、例えばユーザが記録再生装置（０１０１）のボタン等を操作することによってチューナーで受信する放送チャンネルを「ＣＳ（通信衛星）Ｘチャンネル（ｃｈ）」に変更したとすると（場面（ｂ））、現在、ＣＳ  Ｘチャンネルでは標準放送（ＳＤ）で放送されており、ＣＳ  ＸチャンネルのＳＤのコンテンツを記録部の空部分に記録する場合に記録可能な残時間は「９５時間４５分」であることが示される（場面（ｃ））。つまり、残時間を算出すべき放送チャンネル（ここではチューナーにて設定される放送チャンネル）が変更になると再度ビットレート情報を参照して当該放送チャンネルに応じたビットレートが取得されて残時間が算出し直される、という具合である。
【０００９】
（実施形態１：構成）本実施形態に係る記録再生装置の機能ブロック図を図２に例示する。記録再生装置（０２００）は、「デジタル放送受信部」（０２０１）と、「記録部」（０２０２）と、「ビットレート情報保持部」（０２０３）と、「ビットレート取得部」（０２０４）と、「残時間算出部」（０２０５）と、「残時間表示部」（０２０６）と、を有する。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１１】
「デジタル放送受信部」（０２０１）は、デジタル放送を受信する。「デジタル放送」は、デジタル方式の無線局により行われる放送を指す。また、現在のデジタル放送は、ＭＰＥＧ（Ｍｏｖｉｎｇ  Ｐｉｃｔｕｒｅ  Ｅｘｐｅｒｔｓ  Ｇｒｏｕｐ）２  ＴＳ（Ｔｒａｎｓｐｏｒｔ  Ｓｔｒｅａｍ）圧縮にて放送局から送出されているが、将来的にはＨ．２６４などの圧縮方法が利用されることも予定されている。本件発明に係る記録再生装置が扱うデジタル放送はデジタル方式の無線局により行われる放送であればよく、圧縮方法などは問わない。
【００１２】
図３は、デジタル放送波の受信処理の一例として、地上デジタルテレビ放送波を受信する場合を示す概略図である。まず、アンテナにて放送波を受信し（０３０１）、受信した放送波に復調等の処理を行ないＴＳが出力される（０３０２）。出力されたＴＳは、オーディオストリーム（ＡＳ）、ビデオストリーム（ＶＳ）、番組情報等を含むセクションデータ（Ｓ）に分離される（０３０３）。この後、分離したオーディオストリーム（ＡＳ）、ビデオストリーム（ＶＳ）、セクションデータ（Ｓ）をそれぞれ別々にデコード処理して再エンコードして記録する場合と、デコードせずにストリーム形式のまま記録する場合とがあるが、本件発明の記録再生装置においてはデコードせずにストリーム形式のまま記録する。よって、そのストリームのビットレートは放送チャンネルに依存するため、放送チャンネルごとのビットレートに応じた残時間を算出する点が本件発明の特徴である。なお、ＴＳの分離（０３０３）を行わずにＴＳのまま記録してもよい。
【００１３】
「記録部」（０２０２）は、受信したデジタル放送を放送ストリーム形式のまま記録可能である。「受信したデジタル放送」とは、デジタル放送受信部（０２０１）にて受信したデジタル放送を指す。また、「放送ストリーム形式のまま記録可能」とは、図３にて説明したようにＴＳの分離処理がなされた（０３０３）後のオーディオストリーム（ＡＳ）、ビデオストリーム（ＶＳ）をデコードせずに記録することが可能であることを意味する。また、デジタル放送を記録する記録デバイスはその種類等は問わない。ハードディスクのような内蔵型であってもよいしＤＶＤメディアやブルーレイディスクのような着脱型であってもよい。
【００１４】
「ビットレート情報保持部」（０２０３）は、放送チャンネルとその放送チャンネルの放送ストリームのビットレートとを関連付けた情報であるビットレート情報を保持する。また、ビットレート情報は、例えば放送チャンネルをさらにＨＤ放送である場合とＳＤ放送である場合に分けてビットレートを関連付けていてもよい。図４は、ビットレート情報の一例図である。図４のビットレート情報においては、放送チャンネルごとにさらにＨＤ放送の場合とＳＤ放送の場合に分けてビットレートを関連付けている。また、本件発明においては図４のようにビットレート情報を保持していることを前提としているが、受信するデジタル放送波にビットレートに関する情報が含まれている場合には、デジタル放送波からその情報を抽出するようになっていてもよい。さらに、そのような情報を抽出した場合に保持しているビットレート情報を更新するようになっていてもよい。
【００１５】
「ビットレート取得部」（０２０４）は、ビットレート情報に基づいて指定された放送チャンネルの放送ストリームのビットレートを取得する。「指定された放送チャンネル」とは、すなわち残時間表示をさせるべき放送チャンネルを指し、例えばチューナーによって受信されている放送チャンネルであってもよいし、ユーザがチャンネル指定の操作をすることによって決定されてもよい。例えば、チューナーによって受信されている放送チャンネルが「ＢＳ  Ａ」チャンネルでありＨＤ放送であるならば、図４のビットレート情報を参照すると、ビットレートとして「２４Ｍｂｐｓ（メガビット毎秒）」が取得される。
【００１６】
「残時間算出部」（０２０５）は、取得したビットレートを利用して記録部の空部分に放送チャンネルのコンテンツの記録が可能な残り時間を算出する。「コンテンツ」は主にテレビ番組等を想定しているが特定のものに限定する趣旨ではない。「コンテンツ」は、例えば、映像、音声、音楽等を含み、さらに、文字情報、アプリケーションプログラム、またはそれらの複合形で表現される情報等を含むものであってもよい。また、「取得したビットレート」とは、ビットレート取得部（０２０４）にて取得したビットレートを指す。「取得したビットレートを利用して記録部の空部分に放送チャンネルのコンテンツの記録が可能な残り時間を算出する」とは、具体的には例えば、記録デバイスの空容量を取得し、取得した空容量をビットレートにて割ることによって算出する場合等が該当する。例えば、記録デバイスの空容量が「３０００００ＭＢ（メガバイト）」であり、取得したビットレートが「２４Ｍｂｐｓ」であるとすると、残り時間は、３０００００ＭＢ÷２４Ｍｂｐｓ＝１０００００秒＝２７時間４６分４０秒、と算出される。なお、記録デバイスの空容量は、具体的には例えば記録メディア等の管理情報から取得することができる。
【００１７】
「残時間表示部」（０２０６）は、算出された残時間を表示する。「算出された残時間」とは、残時間算出部（０２０５）にて算出された残時間を指す。図５は、残時間表示部による表示例を示す。表示画面（０５０１）において、（１）は記録媒体の種類を示す。（２）は、指定された放送チャンネルと画質（ＨＤ／ＳＤ）を示す。（３）の「２００」は挿入されている記録媒体の現在のタイトル番号、（４）の「１０００」は現在のチャプター番号を示す。また、（５）は現在のカウンター、（６）は２００番目のタイトルの総時間を示す。また、（７）は記録可能な残時間を示し、よって（２）の放送チャンネル等によって変化する。また、図５のような表示が実行されるタイミングは問わない。例えば、ユーザの表示指示操作によって表示されてもよいし、記録媒体に記録されているコンテンツを再生中に表示されるようになっていてもよい。また、「表示する」とは、記録再生装置に備えられているディスプレイ等の表示部によって表示される場合のみならず、記録再生装置に接続されている外部のデジタルテレビ等の表示装置に出力されて表示される場合も含む。
【００１８】
（実施形態１：ハードウェア上における処理の具体例）図６は、記録再生装置のハードウェア構成の一例を示す。以下、図６を用いて記録再生装置におけるハードウェア上の処理動作について説明する。記録再生装置は、チューナー（０６０１）を介してデジタル放送を受信する。受信されたデジタル放送はストリーム形式のまま記録部（０６０３）に記録される。また、ビットレート情報は不揮発性の半導体メモリやハードディスク等の記憶装置（０６０２）にデータベース等の形式にて保持される。記録再生装置は、例えば備え付けられているボタン等の操作部（０６０６）を介して放送チャンネルが指定されると、記録部（０６０３）に記録されているビットレート情報を参照して、ビットレートを取得する。取得されたビットレートは一時メモリ（０６０５）に格納される。また、ハードディスク等の記録部（０６０３）の空容量が読み出されると、一時メモリ（０６０５）に格納される。取得されたビットレートと記録部の空容量によって残時間が算出され、算出された残時間はディスプレイ等の表示部（０６０４）にて表示される。また、これらの処理を実行するためのプログラムは記憶装置（０６０２）にあらかじめ保持されており、適宜、読み出されて実行される。
【００１９】
なお、図６を用いて説明したハードウェア上の処理はあくまで処理の概要を説明するものである。
【００２０】
（実施形態１：処理の流れ）図７は、本実施形態に係る記録再生装置における処理の流れを示すフロー図を例示する。
【００２１】
最初に、指定放送チャンネルを取得する（Ｓ０７０１）。次に、ビットレート情報に基づいて指定された放送チャンネルの放送ストリームのビットレートを取得する（Ｓ０７０２）。次に、記録部の空容量を取得する（Ｓ０７０３）。次に、取得したビットレートを利用して記録部の空部分に放送チャンネルのコンテンツの記録が可能な残り時間を算出する（Ｓ０７０４）。次に、算出した残時間を表示する（Ｓ０７０５）。
【００２２】
なお、図７のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２３】
（実施形態１：効果）本実施形態に係る記録再生装置によれば、指定された放送チャンネルのビットレートに応じて正確な記録デバイスの残時間を表示することができる。
（実施形態２）
【００２４】
（実施形態２：概要）本実施形態は、指定された放送チャンネルが複数の場合には複数の放送チャンネルのビットレートを取得し、取得した複数の放送チャンネル毎に前記記録が可能な残り時間を算出し、算出結果を同時に表示することを特徴とする記録再生装置について説明する。
【００２５】
（実施形態２：構成）本実施形態に係る記録再生装置の機能ブロック図を図８に例示する。記録再生装置（０８００）は、「デジタル放送受信部」（０８０１）と、「記録部」（０８０２）と、「ビットレート情報保持部」（０８０３）と、「ビットレート取得部」（０８０４）と、「残時間算出部」（０８０５）と、「残時間表示部」（０８０６）と、を有する。また、ビットレート取得部（０８０４）は、「複数取得手段」（０８０７）を有する。また、残時間算出部（０８０５）は、「複数算出手段」（０８０８）を有する。また、残時間表示部（０８０６）は、「複数表示手段」（０８０９）を有する。「複数取得手段」（０８０７）と「複数算出手段」（０８０８）と「複数表示手段」（０８０９）以外の構成については前述した通りであるので、ここでの説明は省略する。
【００２６】
「複数取得手段」（０８０７）は、指定された放送チャンネルが複数の場合には複数の放送チャンネルのビットレートを取得する。「指定された放送チャンネルが複数の場合」とは、すなわち、残時間表示をさせる放送チャンネルが複数あることを意味し、例えば、指定された放送チャンネルがチューナーで受信している放送チャンネルである場合にそのようなチューナーが複数ある場合や、ユーザが複数のチャンネル指定をすることができるようになっている場合等が想定される。また、あらかじめ残時間表示すべき放送チャンネルを複数設定しておき、その設定に基づいて残時間表示がなされるようになっていてもよい。ビットレートを取得する方法としては、ビットレート取得部の説明において述べたようにビットレート情報に基づいて行えばよい。これを指定された複数のチャンネルごとに行う。
【００２７】
「複数算出手段」（０８０８）は、取得した複数の放送チャンネル毎に前記記録が可能な残り時間を算出する。「取得した複数の放送チャンネル」とは、複数取得手段（０８０７）にてビットレートを取得した複数の放送チャンネルを指す。「前記記録」とは、記録部の空部分への放送チャンネルのコンテンツの記録を意味する。残り時間の算出方法としては、残時間算出部の説明において述べた方法と同様に複数取得手段（０８０７）にて取得したビットレートを利用して行えばよい。これを指定された複数のチャンネルごとに行う。
【００２８】
「複数表示手段」（０８０９）は、複数算出手段での算出結果を同時に表示する。例えば、複数の指定放送チャンネルごとの残時間表示が同時になされる。
【００２９】
（実施形態２：処理の流れ）本実施形態に係る記録再生装置における処理の流れは、実施形態１にて説明した処理の流れと同様である。ただし、指定放送チャンネルが複数取得され、指定された複数のチャンネルごとにビットレートが取得されて残り時間が算出された後、同時に表示される。
【００３０】
（実施形態２：効果）本実施形態に係る記録再生装置によれば、複数の放送チャンネルごとの残時間が同時に表示されるため、例えばユーザはチャンネルを切り換える等の操作をしなくとも、放送チャンネルごとの残時間を比較することができる。
（実施形態３）
【００３１】
（実施形態３：概要）本実施形態は、残時間を算出する際に、設定されている録画予約情報を利用して算出することを特徴とする記録再生装置について説明する。
【００３２】
（実施形態３：構成）本実施形態に係る記録再生装置の機能ブロック図を図９に例示する。記録再生装置（０９００）は、「デジタル放送受信部」（０９０１）と、「記録部」（０９０２）と、「ビットレート情報保持部」（０９０３）と、「ビットレート取得部」（０９０４）と、「残時間算出部」（０９０５）と、「残時間表示部」（０９０６）と、を有する。また、残時間算出部（０９０５）は、「予定算出手段」（０９１０）を有する。さらに、ビットレート取得部（０９０４）は複数取得手段を有し、残時間算出部（０９０５）は複数算出手段を有し、残時間表示部（０９０６）は複数表示手段を有していてもよい。「予定算出手段」（０９１０）以外の構成については前述した通りであるので、ここでの説明は省略する。
【００３３】
「予定算出手段」（０９１０）は、設定されている録画予約情報を利用して前記算出をする。「録画予約情報」とは、予約録画を実行するための情報であり、例えば図１０に示すような情報である。すなわち、録画開始日時、録画終了日時、チャンネル、画質（ＨＤ／ＳＤ）、タイトル（番組名）、など、録画するコンテンツを一意に識別する情報である。また、図１０のような情報は、ユーザが録画予約画面において録画再生装置の操作キー等を操作することによって直接入力されてもよいし、電子番組表（ＥＰＧ）をクリックしたりＧコードを入力したりすること等によって、間接的に図１０のような情報が記録再生装置に取得されてもよい。また、記録再生装置はこのような録画予約情報を、データベース等として不揮発性の半導体メモリやハードディスク等の記録装置に保持しておく。また、ここでの予約録画とは放送ストリーム形式で録画することが前提である。また、「前記算出」とは、記録部の空部分に放送チャンネルのコンテンツの記録が可能な残り時間の算出を指す。また、「設定されている録画予約情報を利用して前記算出をする」とは、具体的には例えば、算出時点での実際の記録部の空部分ではなく、録画予約を実行した後の空部分に記録可能な残り時間を算出する場合などが該当する。この場合、録画予約を実行することにより消費する記録部の容量は以下のように算出することができる。例えば、図１０の録画予約情報によれば、ＩＤ＝１１の録画予約では、録画チャンネルが「ＢＳ  Ａ」チャンネルであり、画質は「ＳＤ」であることが分かる。よって、図４のビットレート情報を参照すると、ビットレートは「１５Ｍｂｐｓ」であることが分かる。また、録画時間は「３０分」であるので、１５×１８００＝２７０００メガビット＝３３７５メガバイト、の容量を消費することになる。よって、算出時点での記録部の空容量から、３３７５メガバイトを差し引いてから、残時間算出部の説明において述べたように残時間を算出すればよい。
【００３４】
（実施形態３：処理の流れ）図１１は、本実施形態に係る記録再生装置における処理の流れを示すフロー図を例示する。
【００３５】
最初に、指定放送チャンネルを取得する（Ｓ１１０１）。次に、ビットレート情報に基づいて指定された放送チャンネルの放送ストリームのビットレートを取得する（Ｓ１１０２）。次に、記録部の空容量を取得する（Ｓ１１０３）。次に、録画予約情報を取得する（Ｓ１１０４）。次に、取得した録画予約情報にて指定された放送チャンネルの放送ストリームの録画時間とビットレートを取得する（Ｓ１１０５）。次に、ステップＳ１１０２にて取得したビットレートとステップＳ１１０５にて取得した録画時間とビットレートを利用して、録画予約情報を考慮した残り時間を算出する（Ｓ１１０６）。次に、算出した残時間を表示する（Ｓ１１０７）。
【００３６】
（実施形態３：効果）本実施形態に係る記録再生装置によれば、録画予約情報をも考慮して残時間を算出するので、残時間確認後に予約録画が実行されることで記録デバイスの容量が不足し、その後の録画を失敗してしまうような状況を回避することができる。
（実施形態４）
【００３７】
（実施形態４：概要）本実施形態は、放送ストリーム形式で記録部に記録済みのコンテンツの放送ストリームのビットレートを取得し、取得したビットレートを利用して記録済コンテンツの消去候補と残時間の関係を算出することを特徴とする記録再生装置について説明する。
【００３８】
（実施形態４：構成）本実施形態に係る記録再生装置の機能ブロック図を図１２に例示する。記録再生装置（１２００）は、「デジタル放送受信部」（１２０１）と、「記録部」（１２０２）と、「ビットレート情報保持部」（１２０３）と、「ビットレート取得部」（１２０４）と、「残時間算出部」（１２０５）と、「残時間表示部」（１２０６）と、を有する。また、残時間算出部（１２０５）は、「消去後算出手段」（１２１１）を有する。さらに、ビットレート取得部（１２０４）は複数取得手段を有し、残時間算出部（１２０５）は複数算出手段を有し、残時間表示部（１２０６）は複数表示手段を有していてもよい。さらに、残時間算出部（１２０５）は予定算出手段を有していてもよい。「消去後算出手段」（１２１１）以外の構成については前述した通りであるので、ここでの説明は省略する。
【００３９】
「消去後算出手段」（１２１１）は、放送ストリーム形式で記録部に記録済みのコンテンツの放送ストリームのビットレートを取得し、取得したビットレートを利用して記録済コンテンツの消去候補と残時間の関係を算出する。本件発明の記録再生装置は、受信したデジタル放送を放送ストリーム形式のまま記録部に記録するが、記録したコンテンツを管理するために、図１３のような情報を保持していることが想定される。つまり、コンテンツを録画した録画日時や録画時間、チャンネル、画質（ＨＤ／ＳＤ）、ビットレート、タイトル（番組名）、などの情報を保持しておく。なお、ビットレートは図４のビットレート情報を参照すれば、チャンネルと画質から導き出せるので、図１３の情報においては保持しておかなくともよい。つまり、「記録済みのコンテンツの放送ストリームのビットレートを取得し、」とは、図１３のような管理情報から直接取得する場合や、図４のようなビットレート情報を参照することによって取得する場合等があり得る。また、「取得したビットレートを利用して記録済コンテンツの消去候補と残時間の関係を算出する」とは、例えば以下のように算出可能である。まず、図１３のＩＤ＝１の記録済みコンテンツは録画時間が「６０分」であり、ビットレートが「２４Ｍｂｐｓ」であるので、このコンテンツを削除することにより記録部に発生する空容量は、２４×３６００＝８６４００メガビット＝１０８００メガバイト、である。算出時点での実際の記録部の空容量が２００００メガバイトであれば、ＩＤ＝１のコンテンツを削除後の記録部の空容量は、１０８００＋２００００＝３０８００メガバイト、となる。指定されている放送チャンネルが「ＢＳ  Ａ」チャンネルであり、画質が「ＨＤ」であるとすると、図４のビットレート情報によればビットレートは「２４Ｍｂｐｓ」であるので、残時間は、３０８００ＭＢ÷２４Ｍｂｐｓ≒１０２６７秒＝２時間５１分７秒、と算出される。
【００４０】
また、図１４は、記録済みコンテンツの消去を行う画面の一例図である。領域１４０３は記録済みコンテンツの一覧を表示する領域であり、ユーザはいずれかのコンテンツにカーソルを合わせて、記録再生装置用のリモコンの決定キー等を押下することにより、コンテンツを削除することができる。図１４においては、「４」の「マンガＨ」というコンテンツにカーソルが合わせられている状態を示している。領域１４０２はカーソルが合わせられているコンテンツの詳細情報を表示する領域であり、「マンガＨ」の詳細情報が表示されている。また、領域１４０１はカーソルが合わせられているコンテンツを削除した場合の記録部の残時間を表示する領域であり、現在指定されているチャンネルと画質の情報も表示されている。つまり、領域１４０３においてユーザがカーソルを動かす度に、カーソルが合わせられたコンテンツに応じた残時間を前述したように算出して領域１４０１に表示する、という具合である。また、一度算出した残時間はメモリに格納しておき、再度同じコンテンツにカーソルが合わせられた場合には算出処理を実行せずにメモリに格納しておいた残時間を呼び出して表示するようになっていてもよい。
【００４１】
（実施形態４：処理の流れ）図１５は、本実施形態に係る記録再生装置における処理の流れを示すフロー図を例示する。
【００４２】
最初に、指定放送チャンネルを取得する（Ｓ１５０１）。次に、ビットレート情報に基づいて指定された放送チャンネルの放送ストリームのビットレートを取得する（Ｓ１５０２）。次に、記録部の空容量を取得する（Ｓ１５０３）。次に、指定された記録済みコンテンツの録画時間とビットレートを取得する（Ｓ１５０４）。次に、指定されたコンテンツを消去した場合の残り時間を算出する（Ｓ１５０５）。次に、算出した残時間を表示する（Ｓ１５０６）。次に、次の記録済みコンテンツの指定があるか判断する（Ｓ１５０７）。次の記録済みコンテンツの指定がある場合には、ステップＳ１５０４に戻る。次の記録済みコンテンツの指定がない場合には、処理を終了するか判断する（Ｓ１５０８）。処理を終了しない場合には、ステップＳ１５０１に戻る。
【００４３】
（実施形態４：効果）本実施形態に係る記録再生装置によれば、記録済みコンテンツの消去候補と残時間の関係が算出されるので、例えばユーザは残時間を参考にしていずれのコンテンツを消去すべきかを決定することができる。
【図面の簡単な説明】
【００４４】
【図１】実施形態１に係る記録再生装置の概要図
【図２】実施形態１に係る記録再生装置の機能ブロック図
【図３】デジタル放送波の受信処理の一例図
【図４】ビットレート情報の一例図
【図５】表示部による表示の一例図
【図６】実施形態１に係る記録再生装置のハードウェア構成の一例図
【図７】実施形態１に係る記録再生装置の処理の流れを示すフロー図
【図８】実施形態２に係る記録再生装置の機能ブロック図
【図９】実施形態３に係る記録再生装置の機能ブロック図
【図１０】録画予約情報の一例図
【図１１】実施形態３に係る記録再生装置の処理の流れを示すフロー図
【図１２】実施形態４に係る記録再生装置の機能ブロック図
【図１３】記録済みコンテンツの管理情報の一例図
【図１４】記録済みコンテンツの消去を行う画面の一例図
【図１５】実施形態４に係る記録再生装置の処理の流れを示すフロー図
【符号の説明】
【００４５】
０１０１    記録再生装置
０１０２    表示装置
０２００    記録再生装置
０２０１    デジタル放送受信部
０２０２    記録部
０２０３    ビットレート情報保持部
０２０４    ビットレート取得部
０２０５    残時間算出部
０２０６    残時間表示部
【図１】
2009081503.tif 000003
【図２】
2009081503.tif 000004
【図３】
2009081503.tif 000005
【図４】
2009081503.tif 000006
【図５】
2009081503.tif 000007
【図６】
2009081503.tif 000008
【図７】
2009081503.tif 000009
【図８】
2009081503.tif 000010
【図９】
2009081503.tif 000011
【図１０】
2009081503.tif 000012
【図１１】
2009081503.tif 000013
【図１２】
2009081503.tif 000014
【図１３】
2009081503.tif 000015
【図１４】
2009081503.tif 000016
【図１５】
2009081503.tif 000017